(57)【要約】【課題】通信断からの復旧時間を短くし、且つ新規ＯＮＵの通信設定に要する手間を簡便にする。【解決手段】ＯＬＴ１２と複数のＯＮＵ１４１〜１４Ｎとの間を、光カプラを介在させて光ファイバで接続したＧＥＰＯＮシステムであって、ＯＬＴが、ＯＮＵのそれぞれに付与した、ＬＬＩＤとは異なる固有の局側識別番号Ｍと、ＯＮＵのＬＬＩＤと、ＯＮＵの通信設定情報とを対応付けて記憶する通信設定テーブル３６を備えており、ＯＮＵが、局側識別番号Ｍに等しい加入者側識別番号ｍを生成する識別番号生成部６２を備える。【選択図】図３
2011130251.tif 000002
【特許請求の範囲】
【請求項１】
局側端末と複数の加入者側端末との間を、光カプラを介在させて光ファイバで接続したＧＥＰＯＮシステムであって、
前記局側端末が、
前記加入者側端末のそれぞれに付与した、論理リンク識別子とは異なる固有の局側識別番号と、当該加入者側端末の前記論理リンク識別子と、当該加入者側端末の通信設定情報とを対応付けて記憶する通信設定テーブルを備えており、
前記加入者側端末が、前記局側識別番号に等しい加入者側識別番号を生成する識別番号生成部を備えることを特徴とするＧＥＰＯＮシステム。
【請求項２】
前記局側端末の前記通信設定テーブルが、所定の変換則に基づいて前記局側識別番号から生成された局側認証情報を記憶し、
前記加入者側端末が、前記所定の変換則に基づいて、前記加入者側識別番号から、前記局側認証情報に等しい加入者側認証情報を生成して記憶していることを特徴とする請求項１に記載のＧＥＰＯＮシステム。
【請求項３】
局側端末と複数の加入者側端末との間を、光カプラを介在させて光ファイバで接続したＧＥＰＯＮシステムに新規加入者側端末を接続して通信設定を行うに当たり、
前記新規加入者側端末に付与される、論理リンク識別子とは異なる当該新規加入者側端末に固有の局側識別番号と、当該新規加入者側端末の通信設定情報とを対応付けて、局側端末の通信設定テーブルに記憶させる第１工程と、
前記新規加入者側端末の識別番号生成部を用いて、前記局側識別番号に等しい加入者側識別番号を生成して、当該新規加入者側端末に記憶する第２工程と、
前記新規加入者側端末と前記局側端末との間の論理リンクの確立に応答して前記新規加入者側端末から前記局側端末へと送信される前記加入者側識別番号を用いて、当該局側端末が前記通信設定テーブルを検索して当該加入者側識別番号に等しい局側識別番号を抽出する第３工程と、
当該新規加入者側端末に付与した前記論理リンク識別子を、抽出された該局側識別番号に対応付けて前記通信設定テーブルに記憶するとともに、該局側識別番号に対応する前記通信設定情報を用いて、前記新規加入者側端末の通信設定を行う第４工程とを備えることを特徴とする新規加入者側端末の通信設定方法。
【請求項４】
前記第１工程において、前記局側端末は、前記局側識別番号から所定の変換則に基づいて、局側認証情報を生成して、当該局側識別番号に対応付けて前記通信設定テーブルに記憶し、
前記第２工程において、前記新規加入者側端末は、前記加入者側識別番号から前記所定の変換則に基づいて、前記局側認証情報に等しい加入者側認証情報を生成して、前記加入者側識別番号と対応付けて記憶し、
前記第３工程と前記第４工程との間に、前記新規加入者側端末が前記局側端末からの要求に応答して前記加入者側認証情報を前記局側端末に向けて送信し、該加入者側認証情報の受信に応答した前記局側端末は、前記通信設定テーブルから既に抽出されている局側識別番号に対応する局側認証情報と受信した前記加入者側認証情報とを照合して、両者が一致した場合に前記第４工程を実施する認証工程をさらに備えることを特徴とする請求項３に記載の新規加入者側端末の通信設定方法。
【発明の詳細な説明】
【技術分野】
【０００１】
この発明は、ＧＥＰＯＮ（Ｇｉｇａｂｉｔ  Ｅｔｈｅｒｎｅｔ（登録商標）  Ｐａｓｓｉｖｅ  Ｏｐｔｉｃａｌ  Ｎｅｔｗｏｒｋ）システム、及びＧＥＰＯＮシステムに新規に接続される新規加入者側端末の通信設定方法に関する。
【背景技術】
【０００２】
光加入者線局側装置（Ｏｐｔｉｃａｌ  Ｌｉｎｅ  Ｔｅｒｍｉｎａｌ：以下、単に「ＯＬＴ」又は「局側端末」とも称する。）と、複数の光加入者線終端装置（Ｏｐｔｉｃａｌ  Ｎｅｔｗｏｒｋ  Ｕｎｉｔ：以下、単に「ＯＮＵ」又は「加入者側端末」とも称する。）とを光ファイバで接続する光通信システムとしてＰＯＮ（Ｐａｓｓｉｖｅ  Ｏｐｔｉｃａｌ  Ｎｅｔｗｏｒｋ）システムが知られている。
【０００３】
このＰＯＮシステムの発展型として、ＬＡＮ（Ｌｏｃａｌ  Ａｒｅａ  Ｎｅｔｗｏｒｋ）で用いられていたＧｉｇａｂｉｔ  Ｅｔｈｅｒｎｅｔ（登録商標）技術を応用し、ＯＬＴからＯＮＵまでを１Ｇｂｐｓ以上の通信速度で接続するＧＥＰＯＮシステムが実用化されている。
【０００４】
一般に、ＧＥＰＯＮシステムに新規なＯＮＵ（以下、「新規ＯＮＵ」と称する。）を接続して通信サービスを提供するためには２種類の方法が存在する。第１は、Ｄｉｓｃｏｖｅｒｙプロセスにおいて、新規ＯＮＵの論理リンク識別子（Ｌｏｇｉｃａｌ  Ｌｉｎｋ  ＩＤ：ＬＬＩＤ）を予め固定化する方法である。第２は、Ｄｉｓｃｏｖｅｒｙプロセスにおいて、新規ＯＮＵのＬＬＩＤを固定化せずに、ＯＬＴが任意に与えるＬＬＩＤを新規ＯＮＵに付与する方法である（例えば、非特許文献１参照）。
【０００５】
ところで、これらの２種類の方法に関わりなく、通信サービスの提供に先立ち、新規ＯＮＵに関する通信設定（帯域設定や、ブリッジ設定や、ＶＬＡＮ（Ｖｉｒｔｕａｌ  ＬＡＮ）設定等）を行う必要がある。つまり、通信サービスの提供に先立ち、新規ＯＮＵと通信設定情報とを一対一で対応付けた通信設定テーブルをＯＬＴ内に作成する必要がある。
【０００６】
第１の方法では、比較的容易に通信設定テーブルを作成することができる。なぜなら、通信サービスの提供前に、局側のオペレータ（人間）が新規ＯＮＵに付与すべきＬＬＩＤを知ることができるからである。つまり、局側のオペレータは、予め、新規ＯＮＵに付与すべきＬＬＩＤと、新規ＯＮＵに関する通信設定情報とを対応付けた通信設定テーブルを、ＯＬＴに作成しておくことができる。
【０００７】
その後、第１の方法では、以下のような流れで新規ＯＮＵをＧＥＰＯＮシステムに接続する。まず、ユーザ宅にて行われる新規ＯＮＵの設置作業時に、ＯＮＵ設置作業者（人間）は、局側のオペレータから、通信設定テーブルに書き込まれているＬＬＩＤの通知を受ける。通知を受けたＯＮＵ設置作業者は、ユーザ宅にて、このＬＬＩＤを新規ＯＮＵに設定する。なお、この場合、ＬＬＩＤの設定は、ＯＮＵに予め設けられている機械的スイッチ（例えばロータリースイッチ）などを用いて行われる。
【先行技術文献】
【非特許文献】
【０００８】
【非特許文献１】ＩＥＥＥ８０２．３ａｈ  Ｓｔｄ
【発明の概要】
【発明が解決しようとする課題】
【０００９】
それに対して、第２の方法では、新規ＯＮＵには、局側のオペレータが予め知ることができない、浮動的で任意なＬＬＩＤがＯＬＴにより付与される。つまり、第１の方法とは異なり、通信設定テーブルを作成するに当たり、局側のオペレータは新規ＯＮＵの通信設定情報とＬＬＩＤとを対応付けることができない。つまり、第２の方法では、局側のオペレータは、ＬＬＩＤを使用した通信設定テーブルを予め作成しておくことができない。
【００１０】
そのため、第２の方法では、通信設定テーブルを作成するに当たり、ＬＬＩＤとは異なる新規ＯＮＵに固有の識別番号（例えばＭＡＣアドレス）を用いる。
【００１１】
具体的には、第２の方法では、ＯＮＵ設置作業者が、新規ＯＮＵに固有の識別番号（ＭＡＣアドレス）を、ユーザ宅から局側のオペレータに通知する。そして、通知を受けたオペレータが、この識別番号と通信設定情報とを組にしてＯＬＴに手動で入力することにより通信設定テーブルを作成する。このように、第２の方法では、ユーザ宅に新規ＯＮＵを設置してからでないと、局側のオペレータは通信設定テーブルを作成することができなかった。そのため、第２の方法では、新規ＯＮＵの通信設定を行う際の局側のオペレータの作業負担が大きかった。
【００１２】
また、第１の方法は、事前に、通信設定テーブルを作成しておくことができる利点を有している反面、下記のような問題点を有している。
【００１３】
つまり、第１の方法では、ＯＮＵに付与されたＬＬＩＤが固定化しているために、通信断からの復旧時のＤｉｓｃｏｖｅｒｙプロセスにおいて、１回のＤｉｓｃｏｖｅｒｙ  Ｇａｔｅに応答できるＯＮＵが１台に限られてしまう。よって、Ｎ台（Ｎは１〜３２の整数）のＯＮＵが接続されているＧＥＰＯＮシステムでは、通信断からの復旧にＮ回のＤｉｓｃｏｖｅｙ  ＧａｔｅをＯＬＴから送信する必要があり、通信断からの復旧に長時間を要してしまう。
【００１４】
発明者は鋭意検討の結果、ＬＬＩＤやＭＡＣアドレスとは異なる識別番号をＯＮＵに付与することにより、上述した問題点を解決できることに想到した。
【００１５】
従って、この発明の目的は、通信断からの復旧に要する時間を第２の方法と同等の短時間にするとともに、新規ＯＮＵの通信設定に要する手間を第１の方法と同等に簡便にすることが可能なＧＥＰＯＮシステム及び新規加入者側端末の通信設定方法を提供することにある。
【課題を解決するための手段】
【００１６】
上述した目的の達成を図るために、この発明のＧＥＰＯＮシステムは、局側端末と複数の加入者側端末との間を、光カプラを介在させて光ファイバで接続した構成において、下記の特徴点を有する。
【００１７】
すなわち、局側端末が通信設定テーブルを備えており、この通信設定テーブルには、加入者側端末のそれぞれに付与した、論理リンク識別子とは異なる固有の局側識別番号と、加入者側端末の論理リンク識別子と、加入者側端末の通信設定情報とが対応付けて記憶されている。
【００１８】
また、加入者側端末が、局側識別番号に等しい加入者側識別番号を生成する識別番号生成部を備える。
【００１９】
この発明のＧＥＰＯＮシステムでは、局側端末が、ＬＬＩＤとは異なる加入者側端末の識別番号としての局側識別番号と、加入者側端末の通信設定情報とを関連付けて通信設定テーブルに記憶している。また、加入者側端末が、自らの識別番号として、局側識別番号に等しい加入者側識別番号を記憶している。これにより、局側端末は、ＬＬＩＤやＭＡＣアドレス等を用いることなく、通信設定テーブル上において局側識別番号及び加入者側識別番号を照合し、照合結果に対応する通信設定情報に基づき、加入者側端末に通信設定を行うことができる。
【００２０】
このＧＥＰＯＮシステムの好適な一実施態様として、局側端末の通信設定テーブルが、所定の変換則に基づいて局側識別番号から生成された局側認証情報を記憶し、加入者側端末が、所定の変換則に基づいて、加入者側識別番号から、局側認証情報に等しい加入者側認証情報を生成して記憶しているのがよい。
【００２１】
このように構成することにより、加入者側端末に通信設定を行うに当たり、局側端末は、局側認証情報と加入者側認証情報とを照合することにより、加入者側端末が正規なものであるかどうかを確認することができる。
【００２２】
この発明の新規加入者側端末の通信設定方法は、局側端末と複数の加入者側端末との間を、光カプラを介在させて光ファイバで接続した構成において、以下の第１〜第４工程を備えている。
【００２３】
第１工程は、新規加入者側端末に付与される、論理リンク識別子とは異なる新規加入者側端末に固有の局側識別番号と、新規加入者側端末の通信設定情報とを対応付けて、局側端末の通信設定テーブルに記憶させる。
【００２４】
第２工程は、新規加入者側端末の識別番号生成部を用いて、局側識別番号に等しい加入者側識別番号を生成して、新規加入者側端末に記憶する。
【００２５】
第３工程は、新規加入者側端末と局側端末との間の論理リンクの確立に応答して新規加入者側端末から局側端末へと送信される加入者側識別番号を用いて、局側端末が通信設定テーブルを検索して加入者側識別番号に等しい局側識別番号を抽出する。
【００２６】
第４工程は、新規加入者側端末に付与した論理リンク識別子を、抽出された局側識別番号に対応付けて通信設定テーブルに記憶するとともに、局側識別番号に対応する通信設定情報を用いて、新規加入者側端末の通信設定を行う。
【００２７】
この新規加入者側端末の通信設定方法の好適な一実施態様として、下記のような構成をさらに備えるのがよい。
【００２８】
すなわち、第１工程において、局側端末は、局側識別番号から所定の変換則に基づいて、局側認証情報を生成して、局側識別番号に対応付けて通信設定テーブルに記憶し、第２工程において、新規加入者側端末は、加入者側識別番号から所定の変換則に基づいて、局側認証情報に等しい加入者側認証情報を生成して、加入者側識別番号と対応付けて記憶し、第３工程と第４工程との間に、新規加入者側端末が局側端末からの要求に応答して加入者側認証情報を局側端末に向けて送信し、加入者側認証情報の受信に応答した局側端末は、通信設定テーブルから既に抽出されている局側識別番号に対応する局側認証情報と受信した加入者側認証情報とを照合して、両者が一致した場合に第４工程を実施する認証工程をさらに備える。
【発明の効果】
【００２９】
この発明は上述のような技術的特徴を有している。その結果、この発明のＧＥＰＯＮシステム及び新規加入者側端末の通信設定方法によれば、通信断からの復旧に要する時間を、背景技術で説明した第２の方法と同等に短くすることが可能となり、且つ、新規ＯＮＵの通信設定に要する手間を、背景技術で説明した第１の方法と同等に簡便にすることができる。
【図面の簡単な説明】
【００３０】
【図１】実施形態のＧＥＰＯＮシステムの構成を概略的に示す模式図である。
【図２】（Ａ）はＯＬＴのハードウエア的な構成を示すブロック図であり、（Ｂ）はＯＮＵのハードウエア的な構成を示すブロック図である。
【図３】（Ａ）はＯＬＴの機能的な構成を示す機能ブロック図であり、（Ｂ）はＯＮＵの機能的な構成を示す機能ブロック図である。
【図４】（Ａ）は通信設定テーブルのデータ構造を模式的に示す模式図であり、（Ｂ）は通信設定記憶部のデータ構造を模式的に示す模式図である。
【図５】通信設定方法の説明に供するシーケンス図である。
【発明を実施するための形態】
【００３１】
以下、図面を参照して、この発明の実施形態について説明する。なお、各図は、この発明が理解できる程度に概略的に示したものであり、単なる好適例にすぎない。従って、この発明は以下の実施形態に何ら限定されない。また、各図において、共通する構成要素には同符号を付し、その説明を省略することもある。
【００３２】
（ＧＥＰＯＮシステム）
図１は、この実施形態のＧＥＰＯＮシステムの構成を概略的に示す模式図である。まず、図１を参照して、ＧＥＰＯＮシステムについて説明する。
【００３３】
ＧＥＰＯＮシステム１０は、１台の局側端末１２（以下、単に「ＯＬＴ１２」と称する。）と、複数台の加入者側端末１４１〜１４Ｎ（以下、単に「ＯＮＵ１４１〜１４Ｎ」と称する。）と、光カプラ１６と、光ファイバ１８とを備えている。
【００３４】
ＯＬＴ１２は、通信基地局内に備えられており、インターネット等の上位ネットワークＮＷからの通信データを光信号に変換して、ＯＮＵ１４１〜１４Ｎに送信する。また、ＯＬＴ１２は、ＯＮＵ１４１〜１４Ｎから受信した通信データとしての光信号を電気信号に変換して上位ネットワークＮＷに送信する。
【００３５】
詳しくは後述するが、ＯＬＴ１２は通信設定テーブル３６（図４（Ａ）参照）を備えている。この通信設定テーブル３６には、ＯＮＵ１４１〜１４Ｎに固有の識別番号としての局側識別番号Ｍ、及びＯＮＵ１４１〜１４Ｎの通信設定情報が対応付けられて記憶されている。なお、局側識別番号Ｍは、ＯＮＵ１４１〜１４Ｎに付与されているＬＬＩＤ及びＭＡＣアドレスとは異なる識別番号とする。
【００３６】
ＯＮＵ１４１〜１４Ｎは、サービス利用者（以下、単に「ユーザ」とも称する。）の宅内に設置されていて、インターフェースを介して、パーソナルコンピュータ等のユーザ装置ＰＣや、ＬＡＮなどに接続されている。ＯＮＵ１４１〜１４Ｎは、ユーザ装置ＰＣから入力されたデータを光信号に変換して、ＯＬＴ１２に送信する。また、ＯＮＵ１４１〜１４Ｎは、ＯＬＴ１２から送られた光信号を電気信号に変換して、ユーザ装置ＰＣに送信する。詳しくは後述するが、ＯＮＵ１４１〜１４Ｎは、局側識別番号Ｍに等しい加入者側識別番号ｍを生成する識別番号生成部６２（図３（Ｂ）参照）を備えている。
【００３７】
なお、図１において、斜線でハッチングを施したＯＮＵ１４２は、新規加入者側端末（以下、端に「新規ＯＮＵ」と称する。）に対応する。つまり、新規ＯＮＵ１４２は、ＧＥＰＯＮシステム１０に新規に接続され、ＯＬＴ１２との間で初めて通信を行う、通信設定が未完了のＯＮＵとする。
【００３８】
詳しくは後述するが、新規ＯＮＵ１４２の通信設定を行うに当たって、ＯＬＴ１２は、新規ＯＮＵ１４２から受信した加入者側識別番号ｍと、上述の通信設定テーブル３６に記憶されている局側識別番号Ｍとを照合する。そして、両者が一致した場合に、ＯＬＴ１２は、局側識別番号Ｍに対応付けられて通信設定テーブル３６に記憶されている通信設定を、新規ＯＮＵ１４２に対して実施する。
【００３９】
光ファイバ１８は、ＯＬＴ１２から光カプラ１６までを接続する幹線１８０と、光カプラ１６から各ＯＮＵ１４１〜１４Ｎまでを接続する支線１８１〜１８Ｎとを備えている。光ファイバ１８は、１芯のシングルモード光ファイバであり、単一の伝播モードの光信号を伝送する。光ファイバ１８を介して伝送される光信号は、ＯＬＴ１２→ＯＮＵ１４１〜１４Ｎ（下り光信号）と、ＯＮＵ１４１〜１４Ｎ→ＯＬＴ１２（上り光信号）とで異なる波長を用いた、いわゆる波長多重方式で伝送される。
【００４０】
光カプラ１６は、光ファイバ１８の幹線１８０と支線１８１〜１８Ｎとの分岐点に設けられる。光カプラ１６は、上述した下り光信号をＯＮＵ１４１〜１４Ｎごとに分波するとともに、ＯＮＵ１４１〜１４Ｎから送信される上り光信号を合波してＯＬＴ１２に向けて伝送する機能を有する。光カプラ１６は、外部からの給電が必要なく、入力された上り光信号及び下り光信号を受動的に合分波する。
【００４１】
（ＯＬＴ）
続いて、図２（Ａ）及び図３（Ａ）を参照して、この実施形態のＯＬＴ１２の構成について説明する。図２（Ａ）は、ＯＬＴ１２のハードウエア的な構成を示すブロック図である。図３（Ａ）は、ＯＬＴ１２の機能的な構成を示す機能ブロック図である。
【００４２】
まず、図２（Ａ）を参照して、ＯＬＴ１２のハードウエア的な構成について説明する。ＯＬＴ１２は、物理的には、ＣＰＵ（Ｃｅｎｔｒａｌ  Ｐｒｏｃｅｓｓｉｎｇ  Ｕｎｉｔ）１０２と、ＲＯＭ（Ｒｅａｄ  Ｏｎｌｙ  Ｍｅｍｏｒｙ）、ＲＡＭ（Ｒａｎｄｏｍ  Ａｃｃｅｓｓ  Ｍｅｍｏｒｙ）及びハードディスク装置などの記憶装置１０４と、ＰＯＮ送受信部２４と、ＮＮＩ（Ｎｅｔｗｏｒｋ  Ｎｏｄｅ  Ｉｎｔｅｒｆａｃｅ）部３４と、装置制御インターフェース部１１４と、ブリッジ部１１６と、制御フレーム挿入抽出部１１８とを含むコンピュータシステムとして構成されている。
【００４３】
ＰＯＮ送受信部２４は、上位層で生成された電気信号としてのＭＡＣフレームを光信号に変換して、ＯＮＵ１４１〜１４Ｎに向けて送信するとともに、ＯＮＵ１４１〜１４Ｎからの光信号を受信して、電気信号へと変換する。
【００４４】
ＮＮＩ部３４は、ＯＬＴ１２を上位ネットワークＮＷに接続するためのインターフェースである。
【００４５】
装置制御インターフェース部１１４は、例えばＬＡＮ経由で、ＯＬＴ１２に各種の設定を行うためのＬＡＮインターフェースである。
【００４６】
制御フレーム挿入抽出部１１８は、光信号の送信の際には、上位層で生成された各種データにＭＡＣアドレス等のＭＡＣヘッダを付与して、ＭＡＣフレームを作成し、ＰＯＮ送受信部２４へと出力する。また、光信号の受信の際には、ＰＯＮ送受信部２４から入力された電気信号を解読してＭＡＣフレームへと変換し、このＭＡＣフレームからＭＡＣヘッダを除去した各種データを、上位層へと出力する。
【００４７】
ブリッジ部１１６は、制御フレーム挿入抽出部１１８とＮＮＩ部３４との間に介在し、上位ネットワークＮＷとＯＬＴ１２との間の通信を円滑に実行する機能を有する。
【００４８】
これらの構成要素は、相互に接続されており、ＣＰＵ１０２の制御の下で、各種データの入出力を行いながら協働して動作する。また、記憶装置１０４には、ＯＬＴ１２を動作させるためのプログラムが予め格納されている。つまり、記憶装置１０４には、後述するＯＬＴ１２の各機能手段における各処理を行うための所要の諸情報やデータや各種の命令等が、予め読み出し自在に格納されている。
【００４９】
ＣＰＵ１０２は、制御部１０２ａと、演算部１０２ｂと、内部記憶部１０２ｃとを備えている。
【００５０】
制御部１０２ａは、記憶装置１０４から読み出されたアプリケーションプログラムを実行することにより、演算部１０２ｂ内に実現される各種機能手段（後述）、及びハードウエア的な構成要素の動作を制御する。
【００５１】
内部記憶部１０２ｃは、ＣＰＵ１０２の動作の際に発生した情報などを一時的に格納する。
【００５２】
演算部１０２ｂは、アプリケーションプログラムの実行などのＣＰＵ１０２の動作に当たり、各種の機能手段として機能する。図３（Ａ）を参照して後述する、点線で囲んだ構成要素が、演算部１０２ｂで実現される機能手段に対応している。
【００５３】
続いて、図３（Ａ）を参照して、ＯＬＴ１２の機能的な構成について説明する。
【００５４】
図３（Ａ）を参照すると、ＯＬＴ１２は、機能的には、ＭＰＣＰ部２８と、ＯＡＭ部３０と、照合部３１と、認証部３２と、ＮＮＩ部３４と、通信設定テーブル３６と、局側認証情報生成部３８とを備えている。
【００５５】
ＭＰＣＰ部２８は、後述する第３工程の前半部を実行する。より詳細には、ＭＰＣＰ部２８は、新規ＯＮＵ１４２に対して、第３工程の前半部としてのＤｉｓｃｏｖｅｒｙプロセスを実行する。Ｄｉｓｃｏｖｅｒｙプロセスを実行することで、新規ＯＮＵ１４２に論理リンク識別子（ＬＬＩＤ）を付与するとともに、ＯＬＴ１２と新規ＯＮＵ１４２との間で論理リンクを確立する。さらに、ＭＰＣＰ部２８は、ＯＮＵ１４１〜１４Ｎの送信タイミングを制御し、ＯＮＵ１４１〜１４Ｎからの上り光信号同士の衝突を防止する。
【００５６】
ＯＡＭ部３０は、ＧＥＰＯＮシステム１０の保守、管理及び監視を行う。具体的には、ＯＡＭ部３０は、ＯＮＵ１４１〜１４Ｎとの間の通信断の監視、及び、ＯＮＵ１４１〜１４Ｎとの間でのループバック試験の制御等を行う。さらに、ＯＡＭ部３０は、認証工程の成功に応答して実施される第４工程において、新規ＯＮＵ１４２のＯＡＭ部５６と協働してＯＡＭフレームを用いた通信を行い、新規ＯＮＵ１４２に対して通信設定を行う。
【００５７】
照合部３１は、後述する第３工程の後半部を実行する。より詳細には、照合部３１は、Ｄｉｓｃｏｖｅｒｙプロセスの終了に応答して、第３工程の後半部として、新規ＯＮＵ１４２から受信した加入者側識別番号ｍ（図４（Ｂ）参照）を用いて、通信設定テーブル３６を検索し、受信した加入者側識別番号ｍに一致する局側識別番号Ｍを含むレコードを抽出する。
【００５８】
認証部３２は、なりすましを防ぎ、通信セキュリティーを確保する観点から、論理リンクが確立した新規ＯＮＵ１４２に対して、後述する認証工程を実行する。この認証工程は、第３工程の終了に応答して、新規ＯＮＵ１４２の認証部５８と協働して実施され、後述する局側認証情報及び加入者側認証情報が用いられる。
【００５９】
ＮＮＩ部３４は、ＯＬＴ１２をインターネット等の上位ネットワークＮＷに接続するインターフェースとして機能する。
【００６０】
通信設定テーブル３６は、記憶装置１０４に設けられた記憶領域であり、（１）ＯＮＵ１４１〜１４Ｎのそれぞれに付与した、ＬＬＩＤ及びＭＡＣアドレスとは異なる固有の識別番号としての局側識別番号Ｍと、（２）ＯＮＵ１４１〜１４ＮのＬＬＩＤと、（３）ＯＮＵ１４１〜１４Ｎの通信設定情報と、（４）後述する認証工程で用いる局側認証情報とを対応付けて記憶する。
【００６１】
ここで、図４（Ａ）を参照して、通信設定テーブル３６のデータ構造及び各データの詳細について説明する。図４（Ａ）は、通信設定テーブル３６のデータ構造を模式的に示す模式図である。
【００６２】
通信設定テーブル３６は、局側識別番号フィールドＦ１と、局側認証情報フィールドＦ２と、ＬＬＩＤフィールドＦ３と、通信設定情報フィールドＦ４とを備えている。そして、これらのフィールドＦ１〜Ｆ４により１レコードが構成されている。このレコードはＯＬＴ１２に収容されているＯＮＵ１４１〜１４Ｎの台数に等しい数だけ設けられている。なお、図４（Ａ）において、ハッチングを施したレコードが新規ＯＮＵ２に対応するレコードとする。
【００６３】
局側識別番号フィールドＦ１には、局側識別番号Ｍとして、ＯＮＵ１４１〜１４Ｎのそれぞれに対して割り当てられた非重複の番号が記憶されている。図４（Ａ）の例で言えば、局側識別番号Ｍとして、ＯＮＵ１４１〜１４Ｎのそれぞれに対して、自然数１〜Ｎが付与されている。特に、新規ＯＮＵ１４２に対する局側識別番号Ｍとしては、“２”が割り当てられている。局側識別番号Ｍは、新規ＯＮＵ１４２の設置作業前に、局側のオペレータにより通信設定テーブル３６に手動で入力される。
【００６４】
局側認証情報フィールドＦ２には、局側認証情報生成部３８において所定の変換則に基づいて局側識別番号Ｍから生成された局側認証情報が記憶されている。ここで、局側認証情報は、局側識別子ＩＤ及び局側パスワードＰＡＳとから構成されており、それぞれ局側認証情報フィールドＦ２の局側識別子サブフィールド及び局側パスワードサブフィールドに記憶される。特に、新規ＯＮＵ１４２に対する局側識別子ＩＤ及び局側パスワードＰＡＳとしては、それぞれ３８及び６４が記憶されている。
【００６５】
局側認証情報は、局側識別番号Ｍの通信設定テーブル３６への入力に応答して、局側認証情報生成部３８により自動的に通信設定テーブル３６へと入力される。なお、局側認証情報を生成するための「所定の変換則」については後述する。
【００６６】
局側認証情報フィールドＦ２に記憶された局側認証情報は、ＯＬＴ１２の認証部３２と新規ＯＮＵ１４２の認証部５８とが協働して実施する認証工程で、新規ＯＮＵ１４２の認証のために用いられる。
【００６７】
ＬＬＩＤフィールドＦ３には、新規ＯＮＵ１４２に対してＯＬＴ１２から付与されたＬＬＩＤが記憶される。より詳細には、認証工程において新規ＯＮＵ１４２の認証が成功した場合に限り、第４工程において、この新規ＯＮＵ１４２のＬＬＩＤがＬＬＩＤフィールドＦ３に書き込まれる。なお、ＬＬＩＤフィールドＦ３へのＬＬＩＤの入力は、認証工程の成功に応答したＯＬＴ１２により自動的に実行される。なお、新規ＯＮＵ１４２に対応するＬＬＩＤフィールドＦ３には値が入力されていない。これは、上述のように新規ＯＮＵ１４２では、未だ認証工程が行われていないからである。
【００６８】
通信設定情報フィールドＦ４には、新規ＯＮＵ１４２に関する種々の通信設定情報が、通信設定項目ごとに記憶されている。通信設定情報フィールドＦ４は、帯域設定や、ブリッジ設定や、ＶＬＡＮ設定等の通信設定項目ごとのサブフィールドを備えており、それぞれのサブフィールドに設定値が記憶されている。
【００６９】
通信設定情報フィールドＦ４に記憶すべき設定値は、新規ＯＮＵ１４２の設置作業前に、局側のオペレータにより、対応する局側識別番号Ｍが入力されたレコードに手動で入力される。
【００７０】
再び図３（Ａ）を参照すると、局側認証情報生成部３８は、通信設定テーブル３６に入力された局側識別番号Ｍから、所定の変換則に基づいて、局側認証情報を生成する機能を有する。
【００７１】
より詳細には、局側認証情報生成部３８は、局側識別番号Ｍの通信設定テーブル３６への入力に応答して、記憶装置１０４から、局側識別子生成用演算式と、局側パスワード生成用演算式とを読み出す。そして、これらの演算式に局側識別番号Ｍを入力して演算を行い、それぞれ局側識別子ＩＤ及び局側パスワードＰＡＳを生成し、通信設定テーブル３６の局側識別子サブフィールド及び局側パスワードサブフィールドに入力する。
【００７２】
なお、局側識別子生成用演算式及び局側パスワード生成用演算式としては任意好適な演算式を用いることができる。例えば、四則演算を組み合わせた単純な演算式でもよいし、ハッシュ関数等を用いた演算式でもよい。
【００７３】
（ＯＮＵ）
続いて、図２（Ｂ）及び図３（Ｂ）を参照して、この実施形態の新規ＯＮＵ１４２の構成について説明する。図２（Ｂ）は、新規ＯＮＵ１４２のハードウエア的な構成を示すブロック図である。図３（Ｂ）は、ＯＮＵ１４２の機能的な構成を示す機能ブロック図である。
【００７４】
まず、図２（Ｂ）を参照して、新規ＯＮＵ１４２のハードウエア的な構成について説明する。
【００７５】
新規ＯＮＵ１４２は、物理的には、ＣＰＵ１２０と、ＲＯＭ、ＲＡＭ及びハードディスク装置などの記憶装置１２２と、ＰＯＮ送受信部５０と、ＵＮＩ（Ｕｓｅｒ  Ｎｅｔｗｏｒｋ  Ｉｎｔｅｒｆａｃｅ）部６０と、識別番号生成部６２と、ブリッジ部１２４と、制御フレーム挿入抽出部１２６とを含むコンピュータシステムとして構成されている。
【００７６】
ＰＯＮ送受信部５０は、上位層で生成された電気信号としてのＭＡＣフレームを光信号に変換して、ＯＬＴ１２に向けて送信するとともに、ＯＬＴ１２からの光信号を受信して、電気信号へと変換して、上位層に出力する。
【００７７】
ＵＮＩ部６０は、ＯＮＵ１４２をユーザ装置ＰＣや、ＬＡＮなどに接続するインターフェースである。
【００７８】
制御フレーム挿入抽出部１２６は、光信号の送信の際には、上位層で生成された各種データにＭＡＣアドレス等のＭＡＣヘッダを付与して、ＭＡＣフレームを作成し、ＰＯＮ送受信部５０へと出力する。また、光信号の受信の際には、ＰＯＮ送受信部５０から入力された電気信号を解読してＭＡＣフレームへと変換し、このＭＡＣフレームからＭＡＣヘッダを除去した各種データを、上位層へと出力する。
【００７９】
ブリッジ部１２４は、制御フレーム挿入抽出部１２６とＵＮＩ部６０との間に介在し、ユーザ装置ＰＣとＯＮＵ１４２との間の通信を円滑に実行する機能を有する。
【００８０】
これらの構成要素は、相互に接続されており、ＣＰＵ１２０の制御の下で、各種データの送受信を行いながら協働して動作する。また、記憶装置１２２には、ＯＮＵ１４２を動作させるためのプログラムが予め格納されている。つまり、記憶装置１２２には、後述するＯＮＵ１４２の各機能手段における各処理を行うための所要の諸情報やデータや種々の命令等が、予め読み出し自在に格納されている。
【００８１】
ＣＰＵ１２０は、制御部１２０ａと、演算部１２０ｂと、内部記憶部１２０ｃとを備えている。
【００８２】
制御部１２０ａは、記憶装置１２２から読み込まれたアプリケーションプログラムを実行することにより、演算部１２０ｂ内に実現される各種機能手段（後述）、及びハードウエア的な構成要素の動作を制御する。
【００８３】
内部記憶部１２０ｃは、ＣＰＵ１２０の動作の際に発生した情報などを一時的に格納する。
【００８４】
演算部１２０ｂは、アプリケーションプログラムの実行などのＣＰＵ１２０の動作に当たり、各種の機能手段として機能する。図３（Ｂ）において、点線で囲んだ構成要素が、演算部１２０ｂで実現される機能手段に対応している。
【００８５】
続いて、図３（Ｂ）を参照して、新規ＯＮＵ１４２の機能的な構成について説明する。
【００８６】
図３（Ｂ）を参照すると、新規ＯＮＵ１４２は、機能的には、ＭＰＣＰ部５４と、ＯＡＭ部５６と、照合部５７と、認証部５８と、ＵＮＩ部６０と、識別番号生成部６２と、通信設定記憶部６４と、加入者側認証情報生成部６６とを備えている。
【００８７】
ＭＰＣＰ部５４は、ＯＬＴ１２のＭＰＣＰ部２８と協働して、後述する第３工程の前半部を実行する。すなわち、ＭＰＣＰ部５４は、第３工程の前半部としてのＤｉｓｃｏｖｅｒｙプロセスを実行して、ＯＬＴ１２との間で論理リンクを確立する。さらにＭＰＣＰ部５４は、他のＯＮＵ１４１〜１４Ｎの上り光信号との衝突を避けるために、ＯＬＴ１２のＭＰＣＰ部２８から通知される送信タイミングに従って、新規ＯＮＵ１４２の上り光信号の送信制御を行う。
【００８８】
ＯＡＭ部５６は、ＧＥＰＯＮシステム１０の保守、管理及び監視を行う。具体的には、ＯＡＭ部５６は、ＯＬＴ１２との間の通信断の監視、及びＯＬＴ１２との間でのループバック試験の制御を行う。これに加えて、ＯＡＭ部５６は、認証工程の終了の成功に応答して、ＯＬＴ１２のＯＡＭ部３０と協働して行われる第４工程において、ＯＡＭフレームとして送信される通信設定を、自ら（新規ＯＮＵ１４２）に対して実行する。
【００８９】
照合部５７は、ＯＬＴ１２の照合部３１と協働して、第３工程の後半部を実行する。より詳細には、照合部５７は、ＯＬＴ１２の照合部３１から、加入者側識別番号要求Ａｒ２（図５参照）を受信すると、これに応答して、通信設定記憶部６４から加入者側識別番号ｍを読み出してきて、加入者側識別番号通知Ａｒ３（図５参照）として、ＯＬＴ１２に向けて送信する。
【００９０】
認証部５８は、第３工程の終了に応答して、新規ＯＮＵ１４２を認証するための認証工程を、ＯＬＴ１２の認証部３２と協働して実行する。認証工程の詳細については後述するが、認証部５８は、通信設定記憶部６４に記憶されている加入者側認証情報をＯＬＴ１２の認証部３２に送信することにより、新規ＯＮＵ１４２が正当な加入者側端末であることを示す認証を受ける。
【００９１】
ＵＮＩ部６０は、ＯＮＵ１４２をユーザ装置ＰＣや、ＬＡＮなどに接続するインターフェースである。
【００９２】
識別番号生成部６２は、局側識別番号Ｍに等しい加入者側識別番号ｍを生成する。すなわち、識別番号生成部６２は、ＬＬＩＤ及びＭＡＣアドレスとは異なる、新規ＯＮＵ１４２に固有の識別番号である加入者側識別番号ｍを生成する機能を有する。
【００９３】
識別番号生成部６２は、好ましくは、例えばＯＮＵ１４２に設けられた機械的スイッチとして構成されている。ここで、機械的スイッチとは、ＯＮＵ設置作業者等が手動で加入者側識別番号ｍの変更及び設定が可能な、例えばディップスイッチやロータリースイッチ等とする。
【００９４】
識別番号生成部６２を用いて新規ＯＮＵ１４２に設定する加入者側識別番号ｍは、ＯＬＴ１２の通信設定テーブル３６に記憶されている新規ＯＮＵ１４２に対応する局側識別番号Ｍと等しい値とする必要がある。加入者側識別番号ｍと局側識別番号Ｍとを等しい値とするためには、以下のような方法が考えられる。
【００９５】
例えば、新規ＯＮＵ１４２のユーザ宅での設置作業時に、通信設定テーブル３６を閲覧している局側のオペレータが、ユーザ宅のＯＮＵ設置作業者に局側識別番号Ｍを電話等で通知する。そして、通知を受けたＯＮＵ設置作業者が局側識別番号Ｍに等しい番号を加入者側識別番号ｍとしてＯＮＵ１４２に設定する。
【００９６】
通信設定記憶部６４は、記憶装置１２２に設けられた記憶領域であり、（１）識別番号生成部６２で生成された新規ＯＮＵ１４２の加入者側識別番号ｍと、（２）新規ＯＮＵ１４２のＬＬＩＤと、（３）新規ＯＮＵ１４２の通信設定情報と、（４）後述する認証工程で用いる加入者側認証情報とを対応付けて記憶する。
【００９７】
ここで、図４（Ｂ）を参照して、通信設定記憶部６４のデータ構造及び各データの詳細について説明する。図４（Ｂ）は、通信設定記憶部６４のデータ構造を模式的に示す模式図である。
【００９８】
通信設定記憶部６４は、加入者側識別番号フィールドｆ１と、加入者側認証情報フィールドｆ２と、ＬＬＩＤフィールドｆ３と、通信設定情報フィールドｆ４とを備えた１レコードのテーブルである。
【００９９】
加入者側識別番号フィールドｆ１には、新規ＯＮＵ１４２に固有の加入者側識別番号ｍが記憶される。上述のように、新規ＯＮＵ１４２は通信設定が未完了であるため、このフィールドには未だ値が記憶されていない。後述する第２工程が終了すると、加入者側識別番号フィールドｆ１に加入者側識別番号ｍが記憶される。ここで記憶される加入者側識別番号ｍは、ＯＬＴ１２の通信設定テーブル３６に記憶されている新規ＯＮＵ１４２の局側識別番号Ｍに等しい値（＝２）である。加入者側識別番号ｍは、識別番号生成部６２による加入者側識別番号ｍの設定に応答して、新規ＯＮＵ１４２により自動的に加入者側識別番号フィールドｆ１に書き込まれる。
【０１００】
加入者側認証情報フィールドｆ２には、加入者側認証情報生成部６６において所定の変換則に基づいて加入者側識別番号ｍから生成された加入者側認証情報が記憶されている。ここで、加入者側認証情報は、加入者側識別子ｉｄ及び加入者側パスワードｐａｓとから構成されており、それぞれ加入者側認証情報フィールドｆ２の加入者側識別子サブフィールド及び加入者側パスワードサブフィールドに記憶される。上述のように新規ＯＮＵ１４２は通信設定が未完了であるため、このフィールドには未だ値が記憶されていない。後述する第２工程が終了すると、加入者側認証情報フィールドｆ２に加入者側認証情報が記憶される。
【０１０１】
詳しくは後述するが、加入者側認証情報生成部６６が加入者側識別番号ｍに適用する「所定の変換則」は、ＯＬＴ１２の局側認証情報生成部３８が局側識別番号Ｍに適用する所定の変換則と同一である。つまり、“加入者側識別番号ｍ＝局側識別番号Ｍ”との条件の下で、加入者側認証情報と局側認証情報とは一致する。つまり、第２工程の終了後、加入者側認証情報フィールドｆ２の加入者側識別子サブフィールドには、加入者側識別子ｉｄとして、局側識別子ＩＤと等しい“３８”が記憶される。同様に、第２工程の終了後、加入者側認証情報フィールドｆ２の加入者側パスワードサブフィールドには、加入者側パスワードｐａｓとして、局側パスワードＰＡＳと等しい“６４”が記憶される。
【０１０２】
加入者側認証情報は、加入者側識別番号ｍの通信設定記憶部６４への入力に応答して、加入者側認証情報生成部６６により自動的に生成されて、通信設定記憶部６４へと入力される。これらの加入者側認証情報は、新規ＯＮＵ１４２の認証部５８と、ＯＬＴ１２の認証部３２とが協働して実施する認証工程で、新規ＯＮＵ１４２の認証のために用いられる。
【０１０３】
ＬＬＩＤフィールドｆ３には、認証工程において認証が成功した新規ＯＮＵ１４２に対してＯＬＴ１２から付与されたＬＬＩＤが記憶される。ＬＬＩＤフィールドｆ３へのＬＬＩＤの入力は、認証工程の成功に応答して実施される第４工程において、新規ＯＮＵ１４２により自動的に実行される。なお、この実施形態では、未だ新規ＯＮＵ１４２の通信設定が終了していないために、ＬＬＩＤフィールドｆ３に値は入力されていない。
【０１０４】
通信設定情報フィールドｆ４には、新規ＯＮＵ１４２に関する種々の通信設定情報が、通信設定項目ごとに記憶されている。通信設定情報フィールドｆ４は、帯域設定や、ブリッジ設定や、ＶＬＡＮ設定等の通信設定項目ごとに設けられたサブフィールドを備えており、それぞれのサブフィールドに設定値が記憶される。
【０１０５】
通信設定情報フィールドｆ４に記憶すべき設定値は、ＬＬＩＤがＯＬＴ１２のＬＬＩＤフィールドＦ３へと書き込まれたことに応答して実施される第４工程において、ＯＬＴ１２から新規ＯＮＵ１４２に対してＯＡＭフレームの形式で送信され、新規ＯＮＵ１４２の通信設定情報フィールドｆ４に自動的に入力される。そのため、現段階では、通信設定情報フィールドｆ４に値は書き込まれていない。
【０１０６】
再び図３（Ｂ）を参照すると、加入者側認証情報生成部６６は、通信設定記憶部６４に入力された加入者側識別番号ｍから、所定の変換則に基づいて局側認証情報に等しい加入者側認証情報を生成する。
【０１０７】
加入者側認証情報と局側認証情報とを一致させるために、加入者側認証情報生成部６６は、ＯＬＴ１２の局側認証情報生成部３８が用いる変換則と同じ変換側を用いて、加入者側認証情報を生成する。
【０１０８】
より詳細には、加入者側認証情報生成部６６において、加入者側識別番号ｍから加入者側識別子ｉｄを生成するための加入者側識別子生成用演算式を、局側認証情報生成部３８において、局側識別番号Ｍから局側識別子ＩＤを生成するための局側識別子生成用演算式と同一とする。
【０１０９】
同様に、加入者側認証情報生成部６６において、加入者側識別番号ｍから加入者側パスワードｐａｓを生成するための加入者側パスワード生成用演算式を、局側認証情報生成部３８において、局側識別番号Ｍから局側パスワードＰＡＳを生成するための局側パスワード生成用演算式と同一とする。
【０１１０】
これにより、加入者側識別番号ｍと局側識別番号Ｍとが等しい場合に、加入者側認証情報と局側認証情報とは一致する。
【０１１１】
加入者側認証情報生成部６６は、加入者側識別番号ｍの通信設定記憶部６４への入力に応答して、記憶装置１２２から、加入者側識別子生成用演算式と、加入者側パスワード生成用演算式とを読み出す。そして、これらの演算式に加入者側識別番号ｍを入力して演算を行い、それぞれ加入者側識別子ｉｄ及び加入者側パスワードｐａｓを生成し、加入者側識別子サブフィールド及び加入者側パスワードサブフィールドに入力する。
【０１１２】
（通信設定方法）
次に、図３〜図５を参照して、この実施形態の通信設定方法について説明する。図５は、通信設定方法の説明に供するシーケンス図である。なお、図５において、実線矢印は、ＯＬＴ１２と新規ＯＮＵ１４２との間の光ファイバ１８を用いた通信を表し、点線矢印は、局側のオペレータ（人間）とＯＮＵ設置作業者（人間）との間の、例えば電話や事前の作業指示等を用いた連絡を表す。
【０１１３】
この実施形態の通信設定方法は、ＧＥＰＯＮシステム１０に新規ＯＮＵ１４２を接続して通信設定を行う場合に好適に実施される。一例としては、ＧＥＰＯＮシステム１０による通信サービスに新たに加入したユーザ宅において、ＯＮＵ設置作業者が局側のオペレータと連絡を取りながら、新規ＯＮＵ１４２の設置作業を行っている場面などで、この通信設定方法が好適に実施される。
【０１１４】
図５を参照すると、通信設定方法は、第１工程、第２工程、第３工程、認証工程及び第４工程を備えており、これらの５工程がこの順序で実施される。以下、工程ごとに詳細に説明する。
【０１１５】
（第１工程）
第１工程においては、新規ＯＮＵ１４２に付与される、ＬＬＩＤとは異なる新規ＯＮＵ１４２に固有の局側識別番号Ｍと、新規ＯＮＵ１４２の通信設定情報とを対応付けて、ＯＬＴ１２の通信設定テーブル３６に記憶させる。
【０１１６】
より詳細には、第１工程は、新規ＯＮＵ１４２の設置作業前の任意の時点に実施され、局側のオペレータによるＯＬＴ１２への手動入力作業を伴う。第１工程は、いわば、新規ＯＮＵ１４２の設置作業の局側（ＯＬＴ１２）における準備に対応する。つまり、この実施形態の通信設定方法では、新規ＯＮＵ１４２の設置作業前の都合のよい時間に、局側のオペレータは、第１工程を実施しておくことができる。
【０１１７】
具体的には、第１工程では、局側のオペレータが、新規ＯＮＵ１４２に付与すべき局側識別番号Ｍと、新規ＯＮＵ１４２に設定すべき通信設定情報とを、それぞれ通信設定テーブル３６の局側識別番号フィールドＦ１と、通信設定情報フィールドＦ４とに手動入力する。
【０１１８】
局側識別番号Ｍの入力に応答して、ＯＬＴ１２の局側認証情報生成部３８は、記憶装置１０４から、「所定の変換則」としての局側識別子生成用演算式と局側パスワード生成用演算式とを読み出す。そして、局側認証情報生成部３８は、入力された局側識別番号Ｍに対して、これらの演算式を適用して、局側識別子ＩＤ及び局側パスワードＰＡＳからなる局側認証情報を生成する。続いて、局側認証情報生成部３８は、生成された局側識別子ＩＤ及び局側パスワードＰＡＳを、通信設定テーブル３６の局側識別子サブフィールド及び局側パスワードサブフィールドにそれぞれ自動的に入力する。
【０１１９】
（第２工程）
第２工程においては、新規ＯＮＵ１４２は、識別番号生成部６２を用いて、局側識別番号Ｍに等しい加入者側識別番号ｍを生成して記憶する。
【０１２０】
より詳細には、第２工程は、いわば、新規ＯＮＵ１４２の設置作業の加入者側（新規ＯＮＵ１４２）における準備に対応し、典型的にはユーザ宅にて実施される。第２工程では、ＯＮＵ設置作業者による加入者側識別番号ｍの新規ＯＮＵ１４２への手動設定を伴う。
【０１２１】
具体的には、矢印Ａｒ１に示すように、第２工程では、始めに、第１工程において新規ＯＮＵ１４２に付与された局側識別番号Ｍの値が、局側のオペレータからユーザ宅のＯＮＵ設置作業者へと、例えば電話連絡等により通知される。
【０１２２】
局側識別番号Ｍの値を通知されたＯＮＵ設置作業者は、新規ＯＮＵ１４２の識別番号生成部６２（例えば、ロータリースイッチ等）を手動で操作して、通知された局側識別番号Ｍの値に等しくなるように、加入者側識別番号ｍを設定する。
【０１２３】
加入者側識別番号ｍの設定に応答して、新規ＯＮＵ１４２は、この加入者側識別番号ｍを通信設定記憶部６４の加入者側識別番号フィールドｆ１に自動的に書き込む。
【０１２４】
加入者側識別番号ｍの加入者側識別番号フィールドｆ１への書き込みに応答して、新規ＯＮＵ１４２の加入者側認証情報生成部６６は、記憶装置１２２から、「所定の変換則」としての加入者側識別子生成用演算式と加入者側パスワード生成用演算式とを読み出す。なお、加入者側識別子生成用演算式及び加入者側パスワード生成用演算式は、ＯＬＴ１２に記憶されている局側識別子生成用演算式及び局側パスワード生成用演算式とそれぞれ等しいものである。
【０１２５】
そして、加入者側認証情報生成部６６は、入力された加入者側識別番号ｍに対して、これらの演算式を適用して、加入者側識別子ｉｄ及び加入者側パスワードｐａｓからなる加入者側認証情報を生成する。
【０１２６】
続いて、加入者側認証情報生成部６６は、生成された加入者側識別子ｉｄ及び加入者側パスワードｐａｓを、通信設定記憶部６４の加入者側識別子サブフィールド及び加入者側パスワードサブフィールドにそれぞれ自動的に入力する。これにより、通信設定記憶部６４には、加入者側認証情報と加入者側識別番号ｍとが対応付けられて記憶される。
【０１２７】
（第３工程）
第３工程においては、新規ＯＮＵ１４２とＯＬＴ１２との間の論理リンクの確立に応答して新規ＯＮＵ１４２からＯＬＴ１２へと送信される加入者側識別番号ｍを用いて、ＯＬＴ１２が通信設定テーブル３６を検索して加入者側識別番号ｍに等しい局側識別番号Ｍを抽出する。
【０１２８】
より詳細には、第３工程は前半部と後半部とに分かれており、前半部において従来周知のＤｉｓｃｏｖｅｒｙプロセスが実施され、後半部において加入者側識別番号ｍと局側識別番号Ｍの照合が実施される。
【０１２９】
第３工程の前半部において、ＯＬＴ１２と新規ＯＮＵ１４２との間で通信が開始され、ＯＬＴ１２のＭＰＣＰ部２８と新規ＯＮＵ１４２のＭＰＣＰ部５４との間でＤｉｓｃｏｖｅｒｙプロセスが実施される。これにより、ＯＬＴ１２と新規ＯＮＵ１４２との間に論理リンクが確立される。
【０１３０】
なお、ここで実施されるＤｉｓｃｏｖｅｒｙプロセスは、ＧＥＰＯＮシステム１０に収容されている全ＯＮＵ１４１〜１４Ｎを対象とする一斉同報型である。つまり、このＤｉｓｃｏｖｅｒｙプロセスでは、ＯＬＴ１２は、新規ＯＮＵ１４２に対して任意のＬＬＩＤを割り当てる。
【０１３１】
また、Ｄｉｓｃｏｖｅｒｙプロセスにおいて付与されたＬＬＩＤは、いわば「仮ＬＬＩＤ」である。この仮ＬＬＩＤは、ＯＬＴ１２においては記憶装置１０４の一時記憶部に、新規ＯＮＵ１４２においては記憶装置１２２の一時記憶部に、それぞれ一時的に記憶される。そして、第４工程において、一時記憶部から読み出されて、それぞれ通信設定テーブル３６及び通信設定記憶部６４に書き込まれる。
【０１３２】
第３工程の後半部は、Ｄｉｓｃｏｖｅｒｙプロセスの終了に応答して、ＯＬＴ１２の照合部３１と新規ＯＮＵ１４２の照合部５７との間で実施される。より詳細には、ＯＬＴ１２の照合部３１は、Ｄｉｓｃｏｖｅｒｙプロセスの終了に応答して、記憶装置１０４から加入者側識別番号要求Ａｒ２を読み出す。そして、読み出した加入者側識別番号要求Ａｒ２を、ＭＰＣＰ部２８を介して、新規ＯＮＵ１４２に送信する。
【０１３３】
加入者側識別番号要求Ａｒ２の受信に応答して、新規ＯＮＵ１４２の照合部５７は、通信設定記憶部６４から自らの加入者側識別信号ｍを読み出す。そして、読み出した加入者側識別信号ｍを格納した加入者側識別番号通知Ａｒ３を作成し、ＭＰＣＰ部５４を介してＯＬＴ１２に送信する。
【０１３４】
加入者側識別番号通知Ａｒ３の受信に応答して、ＯＬＴ１２の照合部３１は、受信した加入者側識別番号ｍを用いて、通信設定テーブル３６を検索し、受信した加入者側識別番号ｍに一致する局側識別番号Ｍを含むレコードを抽出する。
【０１３５】
ここで、当該レコードが抽出された場合（Ｙｅｓ）には、処理は認証工程へと移行する。それに対して、当該レコードが抽出されなかった場合（Ｎｏ）、つまり、加入者側識別番号ｍに一致する局側識別番号Ｍが見つからなかった場合には、照合部３１は、不正なＯＮＵが接続されていると判断し通信を切断する。
【０１３６】
（認証工程）
認証工程においては、新規ＯＮＵ１４２がＯＬＴ１２からの要求に応答して加入者側認証情報をＯＬＴ１２に向けて送信し、加入者側認証情報の受信に応答したＯＬＴ１２は、通信設定テーブル３６から既に抽出されている局側識別番号Ｍに対応する局側認証情報と、受信した加入者側認証情報とを照合する。
【０１３７】
より詳細には、認証工程は、識別子認証サブ工程及びパスワード認証サブ工程の２つのサブ工程から構成されている。識別子認証サブ工程においては、加入者側識別子ｉｄと局側識別子ＩＤとが照合される。パスワード認証サブ工程においては、加入者側パスワードｐａｓと局側パスワードＰＡＳとが照合される。
【０１３８】
まず、識別子認証サブ工程においては、ＯＬＴ１２の認証部３２は、第３工程の終了に応答して、記憶装置１０４から加入者側識別子要求Ａｒ４を読み出す。そして、読み出した加入者側識別子要求Ａｒ４を、ＭＰＣＰ部２８を介して、新規ＯＮＵ１４２に送信する。
【０１３９】
加入者側識別子要求Ａｒ４の受信に応答して、新規ＯＮＵ１４２の認証部５８は、通信設定記憶部６４の加入者側識別子サブフィールドから、自らの加入者側識別子ｉｄを読み出す。そして、読み出した加入者側識別子ｉｄを格納した加入者側識別子通知Ａｒ５を作成し、ＭＰＣＰ部５４を介してＯＬＴ１２に送信する。
【０１４０】
加入者側識別子通知Ａｒ５の受信に応答して、ＯＬＴ１２の認証部３２は、受信した加入者側識別子ｉｄが、通信設定テーブル３６から既に抽出されている局側識別番号Ｍに対応する局側識別子ＩＤと一致するかどうかを判断する。ここで、受信した加入者側識別子ｉｄと局側識別子ＩＤとが等しい場合（Ｙｅｓ）には、処理はパスワード認証サブ工程へと移行する。それに対して、受信した加入者側識別子ｉｄと局側識別子ＩＤとが異なっている場合（Ｎｏ）には、認証部３２は、不正なＯＮＵが接続されていると判断し通信を切断する。
【０１４１】
次に、パスワード認証サブ工程においては、ＯＬＴ１２の認証部３２は、識別子認証サブ工程の終了に応答して、記憶装置１０４から加入者側パスワード要求Ａｒ６を読み出す。そして、読み出した加入者側パスワード要求Ａｒ６を、ＭＰＣＰ部２８を介して、新規ＯＮＵ１４２に送信する。
【０１４２】
加入者側パスワード要求Ａｒ６の受信に応答して、新規ＯＮＵ１４２の認証部５８は、通信設定記憶部６４の加入者側パスワードサブフィールドから、自らの加入者側パスワードｐａｓを読み出す。そして、読み出した加入者側パスワードｐａｓを格納した加入者側パスワード通知Ａｒ７を作成し、ＭＰＣＰ部５４を介してＯＬＴ１２に送信する。
【０１４３】
加入者側パスワード通知Ａｒ７の受信に応答して、ＯＬＴ１２の認証部３２は、受信した加入者側パスワードｐａｓが、通信設定テーブル３６から既に抽出されている局側識別番号Ｍに対応する局側パスワードＰＡＳと一致するかどうかを判断する。
【０１４４】
ここで、受信した加入者側パスワードｐａｓと局側パスワードＰＡＳとが等しい場合（Ｙｅｓ）には、ＯＬＴ１２の認証部３２から新規ＯＮＵ１４２に向けて、認証が成功した旨を示す認証成功通知Ａｒ８が送信される。より詳細には、ＯＬＴ１２の認証部３２は、記憶装置１０４から認証成功通知Ａｒ８を読み出して、ＭＰＣＰ部２８を介して、新規ＯＮＵ１４２に送信する。
【０１４５】
それに対して、受信した加入者側パスワードｐａｓと局側パスワードＰＡＳとが異なっている場合（Ｎｏ）には、認証部３２は、不正なＯＮＵが接続されていると判断し、通信を切断する。
【０１４６】
（第４工程）
第４工程においては、新規ＯＮＵ１４２に付与したＬＬＩＤを、抽出された局側識別番号Ｍに対応付けて通信設定テーブル３６に記憶するとともに、局側識別番号Ｍに対応する通信設定情報を用いて、新規ＯＮＵ１４２の通信設定を行う。
【０１４７】
より詳細には、第４工程においては、まず始めに、認証成功通知Ａｒ８の送信に応答して、ＯＬＴ１２の認証部３２により、認証が済んだ新規ＯＮＵ１４２に付与された仮ＬＬＩＤが、一時記憶部から読み出されて、通信設定テーブル３６のＬＬＩＤフィールドＦ３に書き込まれる。
【０１４８】
同様に、新規ＯＮＵ１４２においては、認証成功通知Ａｒ８の受信に応答して、認証部５８は、一時記憶部から、自らに付与された仮ＬＬＩＤを読み出して、通信設定記憶部６４のＬＬＩＤフィールドｆ３に書き込む。
【０１４９】
そして、ＯＬＴ１２は、通信設定テーブル３６へのＬＬＩＤの書き込みに応答して、新規ＯＮＵ１４２の局側識別番号Ｍに対応する通信設定テーブル３６の通信設定情報フィールドＦ４から、新規ＯＮＵ１４２に関する初期設定情報を読み出す。そして、読み出した初期設定情報を、ＯＡＭ部３０を介して、初期設定命令Ａｒ９へと加工して、ＯＡＭフレームの形で新規ＯＮＵ１４２に向けて送信する。
【０１５０】
初期設定命令Ａｒ９の受信に応答して、新規ＯＮＵ１４２は、初期設定命令Ａｒ９に含まれる初期設定情報に従って自らの初期設定を行う。
【０１５１】
（効果）
この実施形態のＧＥＰＯＮシステム及び新規加入者側端末の通信設定方法では、新規ＯＮＵ１４２に対して、ＬＬＩＤやＭＡＣアドレスとは異なる識別番号として加入者側識別番号ｍを付与する。さらに、ＯＬＴ１２に設けた通信設定テーブル３６に、加入者側識別番号ｍに等しい局側識別番号Ｍと対応付けて、新規ＯＮＵ１４２に関する通信設定情報を記憶する。
【０１５２】
背景技術で説明した第１の方法では、新規ＯＮＵに付与するＬＬＩＤを固定化して通信設定を行っていたために通信断からの復旧に長時間を要していた。しかし、この実施形態では、新規ＯＮＵ１４２の通信設定に当たりＬＬＩＤとは異なる識別番号（局側識別番号Ｍ及び加入者側識別番号ｍ）を用いるので、新規ＯＮＵ１４２に付与するＬＬＩＤを固定化する必要がない。その結果、第１の方法に比較して、通信断からの復旧に要する時間を短縮できる。
【０１５３】
さらに、背景技術で説明した第２の方法では、局側のオペレータは、新規ＯＮＵに付与されているＭＡＣアドレスを、ＯＮＵ設置作業の前に知ることができなかった。そのため、第２の方法では、局側のオペレータは、ＯＮＵ設置作業時に、ＭＡＣアドレスと通信設定情報とを同時にＯＬＴに入力する必要があり、オペレータの作業負担が大きかった。
【０１５４】
しかし、この実施形態では、新規ＯＮＵ１４２に、設置作業前にオペレータが知ることができる識別番号（局側識別番号Ｍ及び加入者側識別番号ｍ）を付与している。その結果、局側のオペレータは、ＯＮＵ設置作業前の任意の時間に、通信設定テーブル３６に新規ＯＮＵ１４２に関する通信設定情報を入力しておくことが可能となり、オペレータの作業負担を軽減することができる。
【０１５５】
（変形例）
この実施形態の通信設定方法では、認証工程を含む場合について説明した。しかし、認証工程は必須の工程ではなく、適宜省略することができる。すなわち、新規ＯＮＵ１４２に関して十分なセキュリティーが保たれている場合には、第３工程の後に、直ちに第４工程を実施してもよい。
【符号の説明】
【０１５６】
１０  ＧＥＰＯＮシステム
１２  局側端末（ＯＬＴ）
１４１〜１４Ｎ  加入者側端末（ＯＮＵ）
１６  光カプラ
１８  光ファイバ
１８０  幹線
１８１〜１８Ｎ  支線
２４，５０  ＰＯＮ送受信部
２８，５４  ＭＰＣＰ部
３０，５６  ＯＡＭ部
３１，５７  照合部
３２，５８  認証部
３４  ＮＮＩ部
３６  通信設定テーブル
３８  局側認証情報生成部
６０  ＵＮＩ部
６２  識別番号生成部
６４  通信設定記憶部
６６  加入者側認証情報生成部
１０２，１２０  ＣＰＵ
１０２ａ，１２０ａ  制御部
１０２ｂ，１２０ｂ  演算部
１０２ｃ，１２０ｃ  内部記憶部
１０４，１２２  記憶装置
１１４  装置制御インターフェース部
１１６，１２４  ブリッジ部
１１８，１２６  制御フレーム挿入抽出部
【図１】
2011130251.tif 000003
【図２】
2011130251.tif 000004
【図３】
2011130251.tif 000005
【図４】
2011130251.tif 000006
【図５】
2011130251.tif 000007